(57)【要約】【課題】収容部の操作力の変動及び用紙の位置ずれを抑制することができる搬送装置を提供する。【解決手段】本体部と、記録媒体を収容し本体部に対して往復移動可能に装着される収容部と、記録媒体の搬送方向に対して交差する記録媒体の幅方向の端部に接触して記録媒体の位置を決める一対のガイド部材と、収容部に取り付けられ往復移動を案内する第１のレールと、本体部に往復移動方向と交差する方向に移動可能に取り付けられ第１のレールにスライド可能な状態に組み付けられた第２のレールと、を備えた。【選択図】図４
2017171417.tif 000002
【特許請求の範囲】
【請求項１】
本体部と、
記録媒体を収容し前記本体部に対して往復移動可能に装着される収容部と、
前記記録媒体の搬送方向に対して交差する前記記録媒体の幅方向の端部に接触して前記記録媒体の位置を決める一対のガイド部材と、
前記収容部に取り付けられ前記往復移動を案内する第１のレールと、
前記本体部に往復移動方向と交差する方向に移動可能に取り付けられ前記第１のレールにスライド可能な状態に組み付けられた第２のレールと、
を備えた、
ことを特徴とする搬送装置。
【請求項２】
前記収容部を前記本体部に装着したときに、前記本体に対する前記収容部の前記往復移動方向とは交差する方向を位置決めする位置決め手段を有し、
前記収容部は、前記往復移動方向であって前記一対のガイド部材のいずれか一方が設けられた延長線上で前記本体部と位置決めされる、
ことを特徴とする請求項１に記載の搬送装置。
【請求項３】
前記位置決め手段は、前記収容部を前記本体部の往復移動方向における奥側で位置決めする第１の位置決め部と、前記往復移動方向における前記第１の位置決め部とは離隔した位置で位置決めする第２の位置決め部と、からなり、
前記収容部が前記本体部に装着される際に、前記第１の位置決め部が位置決めされた後、前記第２の位置決め部が位置決めされる、
ことを特徴とする請求項１又は２に記載の搬送装置。
【請求項４】
前記第１の位置決め部は、前記収容部に形成された位置決め突起と、前記本体部が前記収容部の往復移動方向で前記位置決め突起と係脱可能な位置決め孔を有し、前記第２の位置決め部は、前記本体部に設けられた位置決めピンと、前記収容部が前記収容部の往復移動方向で前記位置決めピンに嵌合して案内される位置決めガイドを有する、
ことを特徴とする請求項３に記載の搬送装置。
【請求項５】
前記収容部が合成樹脂からなる、
ことを特徴とする請求項１ないし４のいずれか１項に記載の搬送装置。
【発明の詳細な説明】
【技術分野】
【０００１】
本発明は、搬送装置に関する。
【背景技術】
【０００２】
シートが積載されるシート積載手段と、シート積載手段を昇降させる昇降手段と、シート積載手段に積載されたシートの最上位のシートに当接して給送する給送手段と、シート積載手段に積載されているシートの最上位のシートの位置に応じた信号を出力するシート高さ検知手段と、シート高さ検知手段のシート給送方向上流に配置され、シート積載手段に積載されているシートの有無に応じた信号を出力するシート有無検知手段と、シート積載手段の高さ方向の位置に応じた信号を出力する位置検知手段と、シート高さ検知手段の信号に基づいて、シート積載手段を上昇させて最上位シートの位置が一定範囲内に維持されるように昇降手段を制御する制御手段と、を備え、制御手段は、位置検知手段からの信号に基づき前記シート積載手段の位置が所定高さよりも上にある場合に前記シート有無検知手段の信号に基づく制御を行うシート給送装置が知られている（特許文献１）。
【先行技術文献】
【特許文献】
【０００３】
【特許文献１】特開２０１５−１９９５５６号公報
【発明の概要】
【発明が解決しようとする課題】
【０００４】
本発明は、収容部の操作力の変動及び用紙の位置ずれを抑制することを目的とする。
【課題を解決するための手段】
【０００５】
前記課題を解決するために、請求項１に記載の搬送装置は、
本体部と、
記録媒体を収容し前記本体部に対して往復移動可能に装着される収容部と、
前記記録媒体の搬送方向に対して交差する前記記録媒体の幅方向の端部に接触して前記記録媒体の位置を決める一対のガイド部材と、
前記収容部に取り付けられ前記往復移動を案内する第１のレールと、
前記本体部に往復移動方向と交差する方向に移動可能に取り付けられ前記第１のレールにスライド可能な状態に組み付けられた第２のレールと、
を備えた、
ことを特徴とする。
【０００６】
請求項２記載の発明は、請求項１に記載の搬送装置において、
前記収容部を前記本体部に装着したときに、前記本体に対する前記収容部の前記往復移動方向とは交差する方向を位置決めする位置決め手段を有し、
前記収容部は、前記往復移動方向であって前記一対のガイド部材のいずれか一方が設けられた延長線上で前記本体部と位置決めされる、
ことを特徴とする。
【０００７】
請求項３記載の発明は、請求項１又は２に記載の搬送装置において、
前記位置決め手段は、前記収容部を前記本体部の往復移動方向における奥側で位置決めする第１の位置決め部と、前記往復移動方向における前記第１の位置決め部とは離隔した位置で位置決めする第２の位置決め部と、からなり、
前記収容部が前記本体部に装着される際に、前記第１の位置決め部が位置決めされた後、前記第２の位置決め部が位置決めされる、
ことを特徴とする。
【０００８】
請求項４記載の発明は、請求項３に記載の搬送装置において、
前記第１の位置決め部は、前記収容部に形成された位置決め突起と、前記本体部が前記収容部の往復移動方向で前記位置決め突起と係脱可能な位置決め孔を有し、前記第２の位置決め部は、前記本体部に設けられた位置決めピンと、前記収容部が前記収容部の往復移動方向で前記位置決めピンに嵌合して案内される位置決めガイドを有する、
【０００９】
請求項５記載の発明は、請求項１ないし３のいずれか１項に記載の搬送装置において、
前記収容部が合成樹脂からなる、
ことを特徴とする。
【００１０】
請求項１に記載の発明によれば、収容部の操作力の変動及び用紙の位置ずれを抑制することができる。
請求項２に記載の発明によれば、記録媒体の用紙搬送方向と交差する方向の位置ずれを抑制することができる。
請求項３及び４に記載の発明によれば、収容部の操作力の変動を抑制することができる。
請求項５に記載の発明によれば、搬送装置を軽量化することができる。
【図面の簡単な説明】
【００１１】
【図１】画像形成システムの内部構成を示す断面模式図である。
【図２】（ａ）は搬送装置の全体を示す斜視図、（ｂ）は収容部を引き出した状態を示す斜視図である。
【図３】搬送装置の縦断面図である。
【図４】移動機構を含む搬送装置の部分縦断面模式図である。
【図５】（ａ）は収容部を一部引き出した状態の搬送装置の平面図、（ｂ）は収容部が装着された状態の搬送装置の平面図である。
【図６】（ａ）は収容部を一部引き出した状態の搬送装置２の底面図、（ｂ）は収容部が装着された状態の搬送装置の底面図である。
【図７】収容部の本体部への位置決めを示す平面模式図である。
【発明を実施するための形態】
【００１２】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
尚、以後の説明の理解を容易にするために、図面において、前後方向をＸ軸方向、左右方向をＹ軸方向、上下方向をＺ軸方向とする。
【００１３】
（１）画像形成システムの全体構成及び動作
図１は本実施形態に係る搬送装置２００が適用される画像形成システム１を示す概略構成図である。図１に示す画像形成システム１は、電子写真方式によって画像を形成するプリンタや複写機等の画像形成装置１００と、画像形成装置１００にトナー像が形成される記録媒体としての用紙Ｐを搬送する搬送装置２００とを備えている。
以下、図面を参照しながら、画像形成システム１の全体構成及び動作を説明する。
【００１４】
（１．１）画像形成装置の全体構成と動作
画像形成装置１００は、制御装置１０、給紙装置２０、感光体ユニット３０、現像装置４０、転写装置５０、定着装置６０、を備えて構成されている。画像形成装置１００の下方（−Ｚ方向）には、搬送装置２００が配置され、画像が記録される用紙Ｐが画像形成装置１００へ搬送される。
【００１５】
画像形成装置１００の底部には、記録媒体としての用紙Ｐが積載された給紙装置２０が設けられ、規制板（不図示）で幅方向位置が決められた用紙Ｐは、上側から１枚ずつ用紙引き出し部２２により前方（−Ｘ方向）に引き出された後、レジストローラ対２３のニップ部まで搬送される。
【００１６】
感光体ユニット３０は、給紙装置２０の上方（Ｚ方向）に、それぞれが並列して設けられ、回転駆動する感光体ドラム３１を備えている。それぞれの感光体ドラム３１上にはそれぞれの現像装置４０によってイエロー（Ｙ）、マゼンタ（Ｍ）、シアン（Ｃ）、黒（Ｋ）のトナー像が形成される。
【００１７】
各感光体ユニット３０の感光体ドラム３１に形成された各色トナー像は、転写装置５０の中間転写ベルト５１上に順次静電転写（一次転写）され、各色トナーが重畳された重畳トナー像が形成される。中間転写ベルト５１上の重畳トナー像は、レジストローラ対２３から送り出され、搬送ガイドにより案内された用紙Ｐに二次転写ローラ５２によって一括転写される。
【００１８】
転写装置５０においてトナー像が一括転写された用紙Ｐは、トナー像が未定着の状態で定着装置６０に搬送され、一対の加熱モジュール６１と加圧モジュール６２により、圧着と加熱の作用でトナー像が定着される。
定着トナー像が形成された用紙Ｐは、搬送ガイドによってガイドされ、排出ローラ対６９から画像形成装置１００の上面（Ｚ方向）に形成された排出トレイ部Ｔに排出・収容される。  
【００１９】
（１．２）搬送装置の全体構成と動作
搬送装置２００は、本体部２１０と、収容部２２０とを有する。本体部２１０は、画像形成装置１００に対して着脱される構成を有し、画像形成装置１００が有する用紙搬送経路と接続する用紙Ｐの搬送経路を有する。
【００２０】
収容部２２０は、多数枚の用紙Ｐを収容し、本体部２１０に対して往復移動して装着される構成となっている。収容部２２０は、用紙Ｐを積載する用紙積載板ＢＰを備え、用紙Ｐの残量に応じて用紙積載板ＢＰを移動させる。
収容部２２０は、図１中の矢印Ｒ１の方向（以下、「装着方向」ともいう。）に移動することで装着され、矢印Ｒ２の方向（以下、「離脱方向」ともいう。）に移動することで離脱、すなわち装着された状態が解除される。
【００２１】
本体部２１０には、給紙部２３０が設けられ、収容部２２０には供給部２４０が取り付けられている。本体部２１０に収容部２２０が装着された状態で、給紙部２３０の搬送部材としてのフィードロール２３２と供給部２４０の分離部材としてのリタードロール２４１が互いに当接してナジャーロール２３１から送り込まれた用紙Ｐを一枚ずつ分離して画像形成装置１００へ搬送する。
【００２２】
（２）搬送装置
図２（ａ）は搬送装置２００の全体を示す斜視図、（ｂ）は収容部を引き出した状態を示す斜視図、図３は搬送装置２００の縦断面図、図４は移動機構２５０を含む搬送装置２００の部分縦断面図、図５（ａ）は収容部２２０を少し引き出した状態の搬送装置２００の平面図、（ｂ）は収容部２２０が装着された状態の搬送装置２００の平面図、図６（ａ）は収容部２２０を少し引き出した状態の搬送装置２００の底面図、（ｂ）は収容部２２０が装着された状態の搬送装置２００の底面図、図７は収容部２２０の本体部２１０への位置決めを示す平面模式図である。
以下図面を参照しながら搬送装置２００の構成と収容部２２０の装着動作について説明する。
【００２３】
（２．１）全体構成
搬送装置２００は、図２（ａ）、（ｂ）に示すように、本体部２１０と本体部２１０に往復移動可能に保持された収容部２２０とから構成されている。
本体部２１０は、合成樹脂製の外装カバー２１１、２１２で覆われた金属製の筐体２１３（図３に図示）内に給紙部２３０（図１に図示）が設けられている。
収容部２２０は、全体が合成樹脂製の底板２２１、側板２２２、２２３、前カバー２２４、背板２２５（図３に図示）からなる全体が箱形状のトレイであり、供給部２４０（図１に図示）が取り付けられている。
【００２４】
図２（ｂ）及び図３に示すように、収容部２２０は、移動機構２５０により本体部２１０に対して往復移動可能に支持されている。
移動機構２５０は、収容部２２０の側板２２２、２２３に取り付けられた第１のレール２５１と、本体部２１０に第１のレールにスライド可能な状態に組み付けられた第２のレール２５２と、第２のレール２５２に対し摺動自在に配設された中間レール２５３からなるレール機構であり、収容部２２０を本体部２１０に対して装着または離脱可能に支持している。
【００２５】
図４に示すように、第２のレール２５２は、本体部２１０の筐体２１３の底面２１３Ａから立設された本体側板２１３Ｂに対してスタッドＳを介して本体側板２１３Ｂの外側面２１３Ｂａと第１の間隙Ｇ１を有して、また、本体側板２３１Ｂの内側面２３１Ｂｂとは第２の間隙Ｇ２を有して、収容部２２０の往復移動方向と交差（直交）する方向に移動可能に保持されている。
【００２６】
収容部２２０は用紙Ｐの搬送方向に対して交差（直交）する幅方向の位置を規制する一対のガイド部材２６０を有している。ガイド部材２６０は収容される用紙のサイズに応じて、用紙Ｐの搬送方向と交差（直交）する方向に移動可能に設けられている。
【００２７】
図５及び図７に示すように、収容部２２０の背板２２５には位置決め突起２２６が本体部２１０に向って突出して形成され、本体部２１０には位置決め孔２１５が設けられている。位置決め突起２２６と位置決め孔２１５は、収容部２２０を本体部２１０に装着した際に、互いに嵌まり合って第１の位置決め部を構成している。
【００２８】
図６及び図７に示すように、本体部２１０には筐体２１３の底面２１３Ａから上方（Ｚ方向）に突出した位置決めピン２１６が設けられ、収容部２２０の底板２２１には位置決めガイド２２８が形成されている。位置決めピン２１６と位置決めガイド２２８は、収容部２２０を本体部２１０に装着した際に、互いに嵌まり合って第２の位置決め部を構成している。
【００２９】
第１の位置決め部と第２の位置決め部は、用紙搬送の幅方向の基準となる一対のガイド部材２６０の一方が設けられた延長線上で互いに搬送装置２００の手前側と奥側に離隔して設けられている。
このように構成された第１の位置決め部と第２の位置決め部は、図７に模式的に示すように、本体部２１０に収容部２２０を装着する際には、第１の位置決め部が位置決めされた後、第２の位置決め部が位置決めされ、収容部２２０を本体部２１０に装着する際の操作力の変動を少なくすることができる。
【００３０】
（２．２）収容部の装着動作
搬送装置２００に記録媒体としての用紙Ｐを補給する際には、前カバー２２４の取手部２２４ａを操作して収容部２２０を本体部２１０から矢印Ｒ２の方向（図１参照）に移動することで用紙積載板ＢＰを露出させた状態で用紙束を用紙積載板ＢＰに積載する。
用紙積載板ＢＰに用紙Ｐを積載した後は、前カバー２２４の取手部２２４ａを操作して収容部２２０を矢印Ｒ１の方向に移動することで本体部２１０に装着される。
【００３１】
収容部２２０は、全体が合成樹脂製の底板２２１、側板２２２、２２３、前カバー２２４、背板２２５からなる全体が箱形状のトレイであり、金属製に比して全体が軽量化されている一方、搬送装置２００が設置される使用環境の温度条件によっては、収容部２２０の一部又は全体が、金属製に比して膨張又は収縮しやすい。
【００３２】
収容部２２０が膨張した場合には、本体部２１０と収容部２２０との間で収容部２２０を往復移動可能に支持している移動機構２５０が熱膨張した収容部２２０の側板２２２、２２３からの圧力を受けて操作力が大きくなる虞があった。
また、収容部２２０が膨張した場合と収縮した場合では、収容部２２０の位置が移動して、積載された用紙Ｐの搬送方向に対して交差（直交）する幅方向の位置が変動する虞があった。
【００３３】
本実施形態に係る収容部２２０は、収容部２２０の側板２２２、２２３に取り付けられた第１のレール２５１と、本体部２１０に第１のレールにスライド可能な状態に組み付けられた第２のレール２５２と、第２のレール２５２に対し摺動自在に配設された中間レール２５３からなるレール機構で本体部２１０に対して往復移動可能に支持されている。
第２のレール２５２は、本体部２１０の本体側板２１３Ｂに対してスタッドＳを介して、本体側板２１３Ｂの外側面２１３Ｂａと第１の間隙Ｇ１を有して、また、本体側板２３１Ｂの内側面２１３Ｂｂとは第２の間隙Ｇ２を有している。
【００３４】
合成樹脂製の収容部２２０が熱膨張した場合には、熱膨張により収容部２２０が移動して、第２のレール２５２と中間レール２５３はボールＢＲを介して第２のレール２５２を本体部２１０の本体側板２１３Ｂに向って押圧する（図４中  矢印Ｆ１参照）が、熱膨張による収容部２２０の移動は、押圧される第２のレール２５２の外側面２５２ａと本体側板２３１Ｂの内側面２３１Ｂｂに設けられた第２の間隙Ｇ２で吸収される。
【００３５】
合成樹脂製の収容部２２０が収縮した場合には、収縮により収容部２２０が移動して、第２のレール２５２と中間レール２５３はボールＢＲを介して第２のレール２５２を本体部２１０の本体側板２１３Ｂから内側に向って引き込むように作用する（図４中  矢印Ｆ２参照）が、収縮による収容部２２０の移動は、本体側板２１３Ｂの外側面２１３ＢａとスタッドＳとの第１の間隙Ｇ１で吸収される。
そのために、収容部２２０が熱膨張又は収縮した場合であっても、収容部２２０を本体部２１０に装着又は脱着する際の操作力が大きくなることが抑制される。
【００３６】
本実施形態に係る搬送装置２００は、第１の位置決め部と第２の位置決め部が、用紙搬送の幅方向の基準となる一対のガイド部材２６０の一方が設けられた延長線上で互いに搬送装置２００の手前側と奥側に離隔して設けられている。そのために、収容部２２０が膨張したり収縮したりした場合であっても、本体部２１０に対するガイド部材２６０の一方の位置変動が抑制され、搬送される用紙Ｐの幅方向の位置バラツキが抑制される。
【符号の説明】
【００３７】
１・・・画像形成システム
１００・・・画像形成装置
１０・・・制御装置
２０・・・給紙装置
３０・・・感光体ユニット
４０・・・現像装置
５０・・・転写装置
６０・・・定着装置
６９・・・排出ローラ対
２００・・・搬送装置
２１０・・・本体部
２１４・・・位置決めピン
２１５・・・位置決め孔
２２０・・・収容部
２２６・・・位置決め突起
２２８・・・位置決めガイド
２３０・・・給紙部
２３１・・・ナジャーロール
２３２・・・フィードロール
２３３・・・搬送ロール対
２４０・・・供給部
２４１・・・リタードロール
２５０・・・移動機構
２５１・・・第１のレール
２５３・・・第２のレール
２５３・・・中間レール
ＢＲ・・・ボール
【図１】
2017171417.tif 000003
【図２】
2017171417.tif 000004
【図３】
2017171417.tif 000005
【図４】
2017171417.tif 000006
【図５】
2017171417.tif 000007
【図６】
2017171417.tif 000008
【図７】
2017171417.tif 000009